(57)【要約】本発明は、異なるビデオソースを融通性よく表示することができる、ビデオ通信方法、装置、プログラム及び記録媒体を提供する。前記方法は、前記端末の対応ノード（ｃｏｒｒｅｓｐｏｎｄｅｎｔ  ｎｏｄｅ）とビデオ通信する際に、ビデオ映像を切り替える必要があるかを確定するステップと、ビデオ映像を切り替える必要があると確定されると、前記端末が採集した第１のビデオ映像を、指定されたスマート機器が採集した第２のビデオ映像に切り替えるステップと、前記第２のビデオ映像を前記対応ノードに送信するステップと、を含み、前記指定されたスマート機器は、前記端末と通信接続される。本発明によれば、端末側で、指定されたスマート機器が採集したビデオ映像を融通性よく切り替えることができ、対応ノード側で、端末側のビデオ映像がさらに多様化に表示することができる。【選択図】図１Ａ
2017524316.tif 000002
【特許請求の範囲】
【請求項１】
端末に適用されるビデオ通信方法であって、
前記端末の対応ノード（ｃｏｒｒｅｓｐｏｎｄｅｎｔ  ｎｏｄｅ）とビデオ通信する際に、ビデオ映像を切り替える必要があるかを確定するステップと、
ビデオ映像を切り替える必要があると確定されると、前記端末が採集した第１のビデオ映像を、指定されたスマート機器が採集した第２のビデオ映像に切り替えるステップと、
前記第２のビデオ映像を前記対応ノードに送信するステップと、を含み、
前記指定されたスマート機器は、前記端末と通信接続されることを特徴とするビデオ通信方法。
【請求項２】
前記ビデオ映像を切り替える必要があるかを確定するステップは、
前記対応ノードからの第１の指示メッセージを受信したかを検出するステップと、
前記第１の指示メッセージが受信されると、前記第１の指示メッセージによって、ビデオ映像を切り替える必要があるかを確定するステップと、を含むことを特徴とする請求項１に記載のビデオ通信方法。
【請求項３】
前記第１の指示メッセージによって、ビデオ映像を切り替える必要があるかを確定するステップは、
前記第１の指示メッセージに対してトリガする第１の操作を受信したかを検出するステップと、
前記第１の指示メッセージに対してトリガする第１の操作が検出されると、ビデオ映像を切り替える必要があると確定するステップと、を含むことを特徴とする請求項２に記載のビデオ通信方法。
【請求項４】
前記ビデオ映像を切り替える必要があるかを確定するステップは、
前記端末からの第２の指示メッセージを受信したかを検出するステップと、
前記第２の指示メッセージが受信されると、前記第２の指示メッセージによって、ビデオ映像を切り替える必要があるかを確定するステップと、を含むことを特徴とする請求項１に記載のビデオ通信方法。
【請求項５】
前記端末が採集した第１のビデオ映像を、指定されたスマート機器が採集した第２のビデオ映像に切り替えるステップは、
指定されたスマート機器の身分識別子を確定するステップと、
前記身分識別子によって、前記指定されたスマート機器が前記端末とローカルエリアネットワーク（ＬＡＮ）を介して通信接続されることを確定するステップと、
前記身分識別子によって、前記端末が採集した第１のビデオ映像を、指定されたスマート機器が採集した第２のビデオ映像に切り替えるステップと、を含むことを特徴とする請求項１に記載のビデオ通信方法。
【請求項６】
前記第２のビデオ映像を前記対応ノードに送信するステップは、
前記対応ノードと接続されるネットワーク類型を検出するステップと、
前記対応ノードと通信ネットワークを介して通信することが検出されると、前記通信ネットワークを介して前記第２のビデオ映像を前記対応ノードに送信するステップと、
前記対応ノードとインターネットを介して通信することが検出されると、前記インターネットを介して前記第２のビデオ映像を前記対応ノードに送信するステップと、を含むことを特徴とする請求項１に記載のビデオ通信方法。
【請求項７】
端末に適用されるビデオ通信装置であって、
前記端末の対応ノード（ｃｏｒｒｅｓｐｏｎｄｅｎｔ  ｎｏｄｅ）とビデオ通信する際に、ビデオ映像を切り替える必要があるかを確定する確定モジュールと、
前記確定モジュールがビデオ映像を切り替える必要があると確定すると、前記端末が採集した第１のビデオ映像を、指定されたスマート機器が採集した第２のビデオ映像に切り替える切り替えモジュールと、
前記切り替えモジュールが切り替えた後の前記第２のビデオ映像を前記対応ノードに送信する送信モジュールと、を備え、
前記指定されたスマート機器は、前記端末と通信接続されることを特徴とするビデオ通信装置。
【請求項８】
前記確定モジュールは、
前記対応ノードからの第１の指示メッセージを受信したかを検出する第１の検出サブモジュールと、
前記第１の検出サブモジュールが前記第１の指示メッセージを受信したことを検出すると、前記第１の指示メッセージによって、ビデオ映像を切り替える必要があるかを確定する第１の確定サブモジュールと、を備えることを特徴とする請求項７に記載のビデオ通信装置。
【請求項９】
前記第１の確定サブモジュールは、
前記第１の指示メッセージに対してトリガする第１の操作を受信したかを検出する操作検出サブモジュールと、
前記操作検出サブモジュールが前記第１の指示メッセージに対してトリガする第１の操作を検出すると、ビデオ映像を切り替える必要があると確定する操作確定サブモジュールと、を備えることを特徴とする請求項８に記載のビデオ通信装置。
【請求項１０】
前記確定モジュールは、
前記端末からの第２の指示メッセージを受信したかを検出する第２の検出サブモジュールと、
前記第２の検出サブモジュールが前記第２の指示メッセージを受信したことを検出すると、前記第２の指示メッセージによって、ビデオ映像を切り替える必要があるかを確定する第２の確定サブモジュールと、を備えることを特徴とする請求項６に記載のビデオ通信装置。
【請求項１１】
前記切り替えモジュールは、
指定されたスマート機器の身分識別子を確定する第３の確定サブモジュールと、
前記第３の確定サブモジュールが確定した前記身分識別子によって、前記指定されたスマート機器が前記端末とローカルエリアネットワーク（ＬＡＮ）を介して通信接続されることを確定する通信確立サブモジュールと、
前記身分識別子によって、前記端末が採集した第１のビデオ映像を、前記通信確立サブモジュールが確立した前記通信接続を介して、指定されたスマート機器が採集した第２のビデオ映像に切り替える切り替えサブモジュールと、を備えることを特徴とする請求項６に記載のビデオ通信装置。
【請求項１２】
前記送信モジュールは、
前記対応ノードと接続されるネットワーク類型を検出する第３の検出サブモジュールと、
前記第３の検出サブモジュールが前記対応ノードと通信ネットワークを介して通信することを検出すると、前記通信ネットワークを介して前記第２のビデオ映像を前記対応ノードに送信する第１の送信サブモジュールと、
前記検出サブモジュールが前記対応ノードとインターネットを介して通信することを検出すると、前記インターネットを介して前記第２のビデオ映像を前記対応ノードに送信する第２の送信サブモジュールと、を備えることを特徴とする請求項６に記載のビデオ通信装置。
【請求項１３】
プロセッサーと、
前記プロセッサーによって実行可能な命令を記憶するメモリと、を備え、
前記プロセッサーは、
前記端末の対応ノード（ｃｏｒｒｅｓｐｏｎｄｅｎｔ ｎｏｄｅ）とビデオ通信する時、ビデオ映像を切り替える必要があるかを確定し、
ビデオ映像を切り替える必要があると確定されると、前記端末が採集した第１のビデオ映像を、指定されたスマート機器が採集した第２のビデオ映像に切り替え、
前記第２のビデオ映像を前記対応ノードに送信するように構成され、
前記指定されたスマート機器は、前記端末と通信接続されることを特徴とするビデオ通信装置。
【発明の詳細な説明】
【技術分野】
【０００１】
本発明は、インターネット技術の分野に関し、更に詳細には、ビデオ通信方法及び装置に関する。
【背景技術】
【０００２】
通信技術の迅速な発展につれて、ビデオに基づく通信方式は、文字を入力しなくても、音声方式を介して対面（ｆａｃｅ ｔｏ  ｆａｃｅ）しながらコミュニケーションを実現することができるので、益々多くのユーザーがビデオ通信を使用している。関連技術では、ユーザーＡは、携帯電話でチャットソフトウェア（又はアプリケーションプログラム）にログインして、ユーザーＢとビデオ通信する際に、ユーザーＡがコンピュータで同時に同一のチャットＩＤにログインすると、携帯電話のビデオソースは、コンピュータに切り替え、この場合、ユーザーＢは、コンピュータのビデオソースのみを見ることができる。従って、ビデオソースの表示方式が比較的単一になり、ユーザーＢがユーザーＡ側の異なるビデオソースを融通性よく見ることができない。
【発明の概要】
【発明が解決しようとする課題】
【０００３】
本発明は、関連技術に存在する問題を解決するために、異なるビデオソースを表示できる融通性を向上させることができるビデオ通信方法及び装置を提供する。
【課題を解決するための手段】
【０００４】
本発明の第１の態様によれば、端末に適用されるビデオ通信方法が提供され、前記方法は、
前記端末の対応ノード（ｃｏｒｒｅｓｐｏｎｄｅｎｔ  ｎｏｄｅ）とビデオ通信する際に、ビデオ映像を切り替える必要があるかを確定するステップと、
ビデオ映像を切り替える必要があると確定されると、前記端末が採集した第１のビデオ映像を、指定されたスマート機器が採集した第２のビデオ映像に切り替えるステップと、
前記第２のビデオ映像を前記対応ノードに送信するステップと、を含み、
前記指定されたスマート機器は、前記端末と通信接続される。
【０００５】
一実施態様において、前記ビデオ映像を切り替える必要があるかを確定するステップは、
前記対応ノードからの第１の指示メッセージを受信したかを検出するステップと、
前記第１の指示メッセージが受信されると、前記第１の指示メッセージによって、ビデオ映像を切り替える必要があるかを確定するステップと、を含む。
【０００６】
一実施態様において、前記第１の指示メッセージによって、ビデオ映像を切り替える必要があるかを確定するステップは、
前記第１の指示メッセージに対してトリガする第１の操作を受信したかを検出するステップと、
前記第１の指示メッセージに対してトリガする第１の操作が検出されると、ビデオ映像を切り替える必要があると確定するステップと、を含む。
【０００７】
一実施態様において、前記ビデオ映像を切り替える必要があるかを確定するステップは、
前記端末からの第２の指示メッセージを受信したかを検出するステップと、
前記第２の指示メッセージが受信されると、前記第２の指示メッセージによって、ビデオ映像を切り替える必要があるかを確定するステップと、を含む。
【０００８】
一実施態様において、前記端末が採集した第１のビデオ映像を、指定されたスマート機器が採集した第２のビデオ映像に切り替えるステップは、
指定されたスマート機器の身分識別子を確定するステップと、
前記身分識別子によって、前記指定されたスマート機器が前記端末とローカルエリアネットワーク（ＬＡＮ）を介して通信接続されることを確定するステップと、
前記身分識別子によって、前記端末が採集した第１のビデオ映像を、指定されたスマート機器が採集した第２のビデオ映像に切り替えるステップと、を含む。
【０００９】
一実施態様において、前記第２のビデオ映像を前記対応ノードに送信するステップは、
前記対応ノードと接続されるネットワーク類型を検出するステップと、
前記対応ノードと通信ネットワークを介して通信することが検出されると、前記通信ネットワークを介して前記第２のビデオ映像を前記対応ノードに送信するステップと、
前記対応ノードとインターネットを介して通信することが検出されると、前記インターネットを介して前記第２のビデオ映像を前記対応ノードに送信するステップと、を含む。
【００１０】
本発明の第２の態様によれば、端末に適用されるビデオ通信装置が提供され、前記装置は、
前記端末の対応ノード（ｃｏｒｒｅｓｐｏｎｄｅｎｔ  ｎｏｄｅ）とビデオ通信する際に、ビデオ映像を切り替える必要があるかを確定する確定モジュールと、
前記確定モジュールがビデオ映像を切り替える必要があると確定すると、前記端末が採集した第１のビデオ映像を、指定されたスマート機器が採集した第２のビデオ映像に切り替える切り替えモジュールと、
前記切り替えモジュールが切り替えた後の前記第２のビデオ映像を前記対応ノードに送信する送信モジュールと、を備え、
前記指定されたスマート機器は、前記端末と通信接続される。
【００１１】
一実施態様において、前記確定モジュールは、
前記対応ノードからの第１の指示メッセージを受信したかを検出する第１の検出サブモジュールと、
前記第１の検出サブモジュールが前記第１の指示メッセージを受信したことを検出すると、前記第１の指示メッセージによって、ビデオ映像を切り替える必要があるかを確定する第１の確定サブモジュールと、を備える。
【００１２】
一実施態様において、前記第１の確定サブモジュールは、
前記第１の指示メッセージに対してトリガする第１の操作を受信したかを検出する操作検出サブモジュールと、
前記操作検出サブモジュールが前記第１の指示メッセージに対してトリガする第１の操作を検出すると、ビデオ映像を切り替える必要があると確定する操作確定サブモジュールと、を備える。
【００１３】
一実施態様において、前記確定モジュールは、
前記端末からの第２の指示メッセージを受信したかを検出する第２の検出サブモジュールと、
前記第２の検出サブモジュールが前記第２の指示メッセージを受信したことを検出すると、前記第２の指示メッセージによって、ビデオ映像を切り替える必要があるかを確定する第２の確定サブモジュールと、を備える。
【００１４】
一実施態様において、前記切り替えモジュールは、
指定されたスマート機器の身分識別子を確定する第３の確定サブモジュールと、
前記第３の確定サブモジュールが確定した前記身分識別子によって、前記指定されたスマート機器が前記端末とローカルエリアネットワーク（ＬＡＮ）を介して通信接続されることを確定する通信確立サブモジュールと、
前記身分識別子によって、前記端末が採集した第１のビデオ映像を、前記通信確立サブモジュールが確立した前記通信接続を介して、指定されたスマート機器が採集した第２のビデオ映像に切り替える切り替えサブモジュールと、を備える。
【００１５】
一実施態様において、前記送信モジュールは、
前記対応ノードと接続されるネットワーク類型を検出する第３の検出サブモジュールと、
前記第３の検出サブモジュールが前記対応ノードと通信ネットワークを介して通信することを検出すると、前記通信ネットワークを介して前記第２のビデオ映像を前記対応ノードに送信する第１の送信サブモジュールと、
前記検出サブモジュールが前記対応ノードとインターネットを介して通信することを検出すると、前記インターネットを介して前記第２のビデオ映像を前記対応ノードに送信する第２の送信サブモジュールと、を備える。
【００１６】
本発明の第３の態様によれば、端末に適用されるビデオ通信装置が提供され、前記装置は、
プロセッサーと、
前記プロセッサーによって実行可能な命令を記憶するメモリと、を備え、
前記プロセッサーは、
前記端末の対応ノード（ｃｏｒｒｅｓｐｏｎｄｅｎｔ ｎｏｄｅ）とビデオ通信する時、ビデオ映像を切り替える必要があるかを確定し、
ビデオ映像を切り替える必要があると確定されると、前記端末が採集した第１のビデオ映像を、指定されたスマート機器が採集した第２のビデオ映像に切り替え、
前記第２のビデオ映像を前記対応ノードに送信するように構成され、
前記指定されたスマート機器は、前記端末と通信接続される。
【発明の効果】
【００１７】
本発明が提供した技術的案によれば、以下のような有益な効果を奏することができる。即ち、
ビデオ映像を切り替える必要があると確定されると、端末が採集した第１のビデオ映像を指定されたスマート機器が採集した第２のビデオ映像に切り替えて、端末側で指定されたスマート機器が採集したビデオ映像を融通性よく切り替えることができる。従って、対応ノード側で、端末側のビデオ映像がさらに多様化になり、対応ノードのユーザーが端末側の異なるスマート機器が採集したビデオ映像を照会することが便利になり、異なるビデオソースを表示する融通性を向上させることができる。
【００１８】
なお、前記一般的な記載及び後述の詳細な記載は、単なる例示的で解釈的な記載であり、本発明を限定しない。
【図面の簡単な説明】
【００１９】
以下の図面は、明細書に組み入れて本明細書の一部分を構成し、本発明に該当する実施例を例示するとともに、明細書とともに本発明の原理を解釈する。
【図１Ａ】一例示的な実施例に係るビデオ通信方法を示すフローチャートである。
【図１Ｂ】一例示的な実施例に係るビデオ通信方法を示す応用場面図ある。
【図２】一例示的な第１の実施例に係るビデオ通信方法を示すフローチャートである。
【図３】一例示的な第２の実施例に係るビデオ通信方法を示すフローチャートである。
【図４】一例示的な実施例に係るビデオ通信装置を示すブロック図である。
【図５】一例示的な実施例に係る他のビデオ通信装置を示すブロック図である。
【図６】一例示的な実施例に係るビデオ通信装置に適用されるブロック図である。
【発明を実施するための形態】
【００２０】
以下、例示的な実施例を詳しく説明し、その例示を図面に示す。以下の記載が図面に関わる場合、特に別の説明がない限り、異なる図面における同一の数字は同じ又は類似する要素を示す。以下の例示的な実施形態に記載の実施例は、本発明と一致する全ての実施例を代表することではない。逆に、それらは、特許請求の範囲に記載の本発明のある方面に一致する装置及び方法の例に過ぎない。
【００２１】
図１Ａは、一例示的な実施例に係るビデオ通信方法を示すフローチャートであり、図１Ｂは一例示的な実施例に係るビデオ通信方法を示す応用場面図ある。前記ビデオ通信方法は、端末（例えば、スマートフォン、タブレットＰＣ、テーブルＰＣ）に適用されることができ、図１Ａに示すように、前記ビデオ通信方法は、以下のようなステップＳ１０１乃至ステップＳ１０３を含む。
【００２２】
ステップＳ１０１：端末の対応ノード（ｃｏｒｒｅｓｐｏｎｄｅｎｔ ｎｏｄｅ）とビデオ通信する際に、ビデオ映像を切り替える必要があるかを確定する。
【００２３】
一実施例では、端末は、インターネットを介して対応ノードとビデオ通信することができ、また、３Ｇ又は４Ｇなどの通信ネットワークを介して対応ノードとビデオ通信することができる。一実施例では、対応ノードからの第１の指示メッセージによってビデオ映像を切り替えることができる。第１の指示メッセージは、対応ノードのユーザーが自体の需要に応じて確定することができる。他の実施例では、端末の第２の指示メッセージによってビデオ映像を切り替えることができる。第２の指示メッセージは、端末のユーザーが対応ノードのユーザーの指示によって端末を操作することでトリガ生成される。
【００２４】
ステップＳ１０２：ビデオ映像を切り替える必要があると確定されると、端末が採集した第１のビデオ映像を指定されたスマート機器が採集した第２のビデオ映像に切り替える。指定されたスマート機器は、端末と通信接続する。
【００２５】
一実施例では、指定されたスマート機器は、対応ノードを通じて指定されることができ、また、端末を介して指定されることもでき、具体的に、端末のユーザーと対応ノードのユーザーとの間の具体的な需要に応じて確定される。一実施例では、端末とローカルエリアネットワーク（ＬＡＮ）を介して通信接続されるスマート機器は１つであってもよく、又は２つ以上であってもよい。一実施例では、異なるスマート機器は、異なる位置に設置することができる。従って、異なる場所や空間のビデオ映像を採集することができ、端末は、リスト方式を介してスマート機器の身分識別子及び空間位置を記録することができる。
【００２６】
ステップＳ１０３：第２のビデオ映像を対応ノードに送信する。
【００２７】
一実施例では、端末と対応ノードとの間のネットワーク類型によって、どのネットワークを介して第２のビデオ映像を対応ノードに送信するかを確定する。例えば、端末と対応ノードとの間に３Ｇ又は４Ｇ通信ネットワークのみを通じてビデオ通信する場合、両者間の正常な通信を確保するために、３Ｇ又は４Ｇ通信ネットワークを介して第２のビデオ映像を対応ノードに送信し、端末と対応ノードとの間にインターネットを介してビデオ通信する場合、インターネットを介して第２のビデオ映像を対応ノードに送信するので、端末のネットワークコストを節約することができる。
【００２８】
以下、図１Ｂを介して、本発明に対して例示的な説明を行う。図１Ｂに示すように、スマートフォン１１がインターネットにアクセスしたことが検出された状況で、スマートフォン１１を使用するユーザーとテーブルＰＣを使用するユーザーがビデオ通信する場合、スマートフォン１１は、まず、スマートカメラ１３１及びスマートカメラ１３２と通信接続するネットワーク類型を検出する。スマートフォン１１が、スマートカメラ１３１及びスマートカメラ１３２とローカルエリアネットワークを介して接続したことを検出すると、スマートフォン１１は、現在の第１のビデオ映像を、スマートカメラ１３１及びスマートカメラ１３２のうちいずれか１つのスマート機器（例えば、スマートカメラ１３１）が採集した第２のビデオ映像に切り替える必要がある場合、スマートフォン１１は、スマートカメラ１３１から第２のビデオ映像を取得するとともに、第２のビデオ映像をインターネット又は３Ｇ又は４Ｇ通信ネットワークを介してテーブルＰＣ１２に送信する。このような場合、スマートカメラ１３１及びスマートカメラ１３２は、インターネット又は３Ｇ又は４Ｇ通信ネットワークにアクセスする必要がないため、スマートフォン１１側で、異なるスマート機器が採集したビデオ映像を融通性よく切り替えることができる。
【００２９】
他の実施例では、スマートフォン１１がローカルエリアネットワークを介してスマートカメラ１３１に接続していないことを検出すると、スマートフォン１１は、スマートカメラ１３１と確立可能な通信接続の類型を確定することができる。例えば、スマートフォン１１が４Ｇを介してスマートカメラ１３１との通信接続の確立可能なことを検出すると、スマートフォン１１は、４Ｇ通信ネットワークを介してスマートカメラ１３１からのビデオ映像を受信することができ、これによって、対応ノードのユーザーがスマートカメラ１３１が採集したビデオ映像を照会することができるように確保する。同様に、スマートフォン１１がインターネットを介してスマートカメラ１３１との通信接続の確立可能なことを検出すると、スマートフォン１１は、インターネットを介してスマートカメラ１３１からのビデオ映像を受信することができ、これによって、対応ノードのユーザーがスマートカメラ１３１が採集したビデオ映像を照会することができるように確保する。また類似的に、スマートフォン１１が３Ｇを介してスマートカメラ１３１との通信接続の確立可能なことを検出すると、スマートフォン１１は３Ｇを介してスマートカメラ１３１からのビデオ映像を受信することができ、これによって、対応ノードのユーザーがスマートカメラ１３１が採集したビデオ映像を照会することができるように確保する。
【００３０】
本実施例では、ビデオ映像を切り替える必要があると確定されると、端末が採集した第１のビデオ映像を、指定されたスマート機器が採集した第２のビデオ映像に切り替えて、端末側で、指定されたスマート機器が採集したビデオ映像を融通性よく切り替えることができる。従って、対応ノード側で、端末側のビデオ映像がさらに多様化に表示され、対応ノードのユーザーが端末側の異なるスマート機器が採集したビデオ映像を便利に照会するとともに、異なるビデオソースを表示する融通性を向上させることができる。
【００３１】
一実施例では、ビデオ映像を切り替える必要があるかを確定するステップは、
対応ノードからの第１の指示メッセージを受信したかを検出するステップと、
第１の指示メッセージを受信されると、第１の指示メッセージによって、ビデオ映像を切り替える必要があるかを確定するステップと、を含む。
【００３２】
一実施例では、第１の指示メッセージによって、ビデオ映像を切り替える必要があるかを確定するステップは、
第１の指示メッセージに対してトリガする第１の操作を受信したかを検出するステップと、
第１の指示メッセージに対してトリガする第１の操作が検出されると、ビデオ映像を切り替える必要があると確定するステップと、を含む。
【００３３】
一実施例では、ビデオ映像を切り替える必要があるか確定するステップは、
端末からの第２の指示メッセージを受信したかを検出するステップと、
第２の指示メッセージが受信されると、第２の指示メッセージによって、ビデオ映像を切り替える必要があるかを確定するステップと、を含む。
【００３４】
一実施例では、端末が採集した第１のビデオ映像を指定されたスマート機器が採集した第２のビデオ映像に切り替えるステップは、
指定されたスマート機器の身分識別子を確定するステップと、
前記身分識別子によって、前記指定されたスマート機器が前記端末とローカルエリアネットワーク（ＬＡＮ）を介して通信接続されることを確定するステップと、
身分識別子によって、端末が採集した第１のビデオ映像を、指定されたスマート機器が採集した第２のビデオ映像に切り替えるステップと、を含む。
【００３５】
一実施例では、第２のビデオ映像を対応ノードに送信するステップは、
対応ノードと接続されるネットワーク類型を検出するステップと、
対応ノードと通信ネットワークを介して通信すると検出されると、通信ネットワークを介して第２のビデオ映像を前記対応ノードに送信するステップと、
対応ノードとインターネットを介して通信すると検出されると、インターネットを介して第２のビデオ映像を対応ノードに送信するステップを含む。
【００３６】
具体的には、ビデオ通信をどのように実現するかについて、後続の実施例を参照すればよい。
【００３７】
ここまで、本発明の実施例が提供した前記方法によれば、端末側で、指定されたスマート機器が採集したビデオ映像を融通性よく切り替えることができる。従って、対応ノード側で、端末側のビデオ映像をさらに多様化に表示することができ、対応ノードのユーザーが端末側の異なるスマート機器が採集したビデオ映像を便利に照会することができ、異なるビデオソースを表示する融通性を向上させることができる。
【００３８】
以下、具体的な実施例を挙げて、本発明の実施例が提供する技術手段を説明する。
【００３９】
図２は、一例示的な実施例に係るビデオ通信方法を示すフローチャートである。本実施例は、本発明の実施例が提供する前記方法を利用し、端末が対応ノード側からの第１の指示メッセージを受信してビデオ通信を実現することを例とし、図１Ｂと併せて例示的な説明を行う。図２に示すように、以下のようなステップを含む。
【００４０】
ステップＳ２０１：端末の対応ノードとビデオ通信する際に、対応ノードからの第１の指示メッセージを受信する。
【００４１】
一実施例では、対応ノードの第１の指示メッセージは、対応ノードのユーザーが、対応ノードのビデオ通信ソフトウェア又はビデオ通信アプリケーションプログラム（ａｐｐ）に設置された関連ボタンをトリガして生成され、端末は、インターネットを介して前記第１の指示メッセージを受信してもよく、３Ｇ又は４Ｇ通信ネットワークを介して前記第１の指示メッセージを受信してもよい。
【００４２】
ステップＳ２０２：第１の指示メッセージによって、ビデオ映像を切り替える必要があるかを確定する。
【００４３】
一実施例では、第１の指示メッセージに対してトリガする第１の操作が検出された場合、ビデオ映像を切り替える必要があると確定する。ここで、第１の操作は、例えば、第１の指示メッセージを同意する操作である。例えば、一実施例では、対応ノードが送信する第１の指示メッセージを受信した時、前記第１の指示メッセージを同意するためのコントロールボタンを携帯し、端末のユーザーは、前記同意コントロールボタンをトリガしてビデオ映像を切り替える必要があると確認する。また、例えば、前記第１の指示メッセージは、前記第１の指示メッセージを拒絶するためのコントロールボタンを携帯してもよく、端末のユーザーが前記拒絶コントロールボタンをトリガしてビデオ映像を切り替える必要がないと確認する。
【００４４】
ステップＳ２０３：ビデオ映像を切り替える必要があると確定される場合、指定されたスマート機器の身分識別子を確定する。
【００４５】
ステップＳ２０２及びステップＳ２０３において、一実施例では、第１の指示メッセージに対して解釈して、第１の指示メッセージがビデオ映像を切り替えるための第１の要求メッセージを携帯したかを確定する。ビデオ映像を切り替えるための第１の要求メッセージを携帯した場合、ビデオ映像を切り替える必要があると確定し、さらに、第１の指示メッセージを解釈して対応ノードのユーザーが指定したスマート機器の身分識別子を取得する。
【００４６】
ステップＳ２０４：身分識別子によって、端末が採集した第１のビデオ映像を指定されたスマート機器が採集した第２のビデオ映像に切り替える。
【００４７】
例えば、図１Ｂに示すように、対応ノードはテーブルＰＣ１２であり、テーブルＰＣ１２は、スマートカメラ１３１の身分識別子を第１の指示メッセージに携帯させることにより、スマートフォン１１が第１の指示メッセージを受信した後、第１の指示メッセージに解釈して、ビデオ映像を切り替える必要があるスマート機器がスマートカメラ１３１であることを確定する。
【００４８】
ステップＳ２０５：対応ノードと接続されるネットワーク類型を確定する。対応ノードと通信ネットワークを介して通信すると、ステップＳ２０６を実行し、対応ノードとインターネットを介して通信すると、ステップＳ２０７を実行する。
【００４９】
一実施例では、端末は、対応ノードと通信ネットワークを介してビデオ通信することができるだけでなく、インターネットを介してビデオ通信することもできる。一実施例では、通信ネットワークは、ネットワーク事業者が提供した３Ｇ、４Ｇなどのネットワークであってもよい。
【００５０】
ステップＳ２０６：対応ノードと通信ネットワークを介して通信することが検出されると、通信ネットワークを介して第２のビデオ映像を対応ノードに送信する。
【００５１】
ステップＳ２０７：対応ノードとインターネットを介して通信することが検出されると、インターネットを介して第２のビデオ映像を対応ノードに送信する。
【００５２】
一実施例では、端末側がＷｉＦｉ（登録商標）を介してインターネットにアクセスしていない場合、対応ノードのユーザーが端末側及びスマート機器側の場面画面を正常に照会することができるように確保するために、端末は３Ｇ又は４Ｇ通信ネットワークを介して第２のビデオ映像を対応ノードに送信してもよい。端末側がＷＩＦＩ又はネットワークインターフェースを介してインターネットにアクセスする際に、端末のユーザーのネットワークコストを節約するために、端末はインターネットを介して第２のビデオ映像を対応ノードに送信する。
【００５３】
一例示的な場面として、図１Ｂに示すように、スマートフォン１１のユーザーは在宅し、スマートカメラ１３１及びスマートカメラ１３２がスマートフォン１１のユーザーの家の異なる部屋に設置される。テーブルＰＣ１２のユーザーがスマートフォン１１のユーザーとビデオ通信する場合、スマートカメラ１３１及びスマートカメラ１３２の対応する空間の状況を検査する必要がある。この場合、テーブルＰＣ１２のユーザーは、スマートフォン１１に第１の指示メッセージを送信し、第１の指示メッセージは、検査する必要があるスマートカメラ（例えば、スマートカメラ１３１）に対応する空間状況を携帯し、スマートフォン１１は、第１の指示メッセージに対して解釈した後、第１の指示メッセージに対してトリガする第１の操作を検出すると、ビデオ映像を切り替える必要があると確定し、スマートフォン１１は、自身に設置したカメラ装置が採集した第１のビデオ映像をスマートカメラ１３１が採集した第２のビデオ映像に切り替えて、テーブルＰＣ１２側のユーザーが、スマートカメラ１３１が採集した映像を照会することができる。
【００５４】
本実施例では、前記実施例による有益な技術効果に加え、対応ノードの第１の指示メッセージによって、端末が現在採集した第１のビデオ映像を第１の指示メッセージが指定したスマート機器の第２のビデオ映像に切り替えて、対応ノードの端末側に対するコントロールを容易にし、対応ノードのユーザーが端末側のビデオ場面を切り替える自主性を向上させることができる。
【００５５】
図３は、一例示的な実施例に係るビデオ通信方法を示すフローチャートであり、本実施例は、本発明の実施例が提供する前記方法を利用し、端末側で第２の指示メッセージを確定してビデオ通信を実現することを例とし、図１Ｂと併せて例示的説明を行う。図３に示すように、下記のようなステップを含む。
【００５６】
ステップＳ３０１：端末の対応ノードとビデオ通信する際に、端末のユーザーによりトリガした第２の指示メッセージを確定する。
【００５７】
一実施例では、第２の指示メッセージは、端末のユーザーが、端末のビデオ通信ソフトウェア又はビデオ通信アプリケーションプログラム（ａｐｐ）に設置された関連ボタンをトリガして生成される。
【００５８】
ステップＳ３０２：第２の指示メッセージによって、ビデオ映像を切り替える必要があるかを確定する。
【００５９】
一実施例では、第２の指示メッセージに対して解析して、第２の指示メッセージがビデオ映像を切り替えるための第２の要求メッセージを携帯したかを確定する。ビデオ映像を切り替えるための第２の要求メッセージを携帯すると、ビデオ映像を切り替える必要があると確定し、さらに、第２の指示メッセージを解釈して端末が指定されたスマート機器の身分識別子を取得する。
【００６０】
ステップＳ３０３：ビデオ映像を切り替える必要があると確定すると、端末が採集した第１のビデオ映像を指定されたスマート機器が採集した第２のビデオ映像に切り替える。
【００６１】
ステップＳ３０３での記述は、前記ステップＳ１０２又は前記ステップＳ２０３乃至ステップＳ２０４を参照すればよいので、ここで説明を省略する。
【００６２】
ステップＳ３０４：第２のビデオ映像を対応ノードに送信する。
【００６３】
ステップＳ３０４での記述は、前記ステップＳ１０３又は前記ステップＳ２０５乃至ステップＳ２０７を参照すればよいので、ここで説明を省略する。
【００６４】
１つの例示的な場面として、図１Ｂに示すように、端末がスマートフォン１１である場合を例に挙げて説明する。スマートフォン１１のユーザーが在宅し、スマートカメラ１３１及びスマートカメラ１３２が、スマートフォン１１のユーザーの家の異なる部屋に設置される。テーブルＰＣ１２のユーザーがスマートフォン１１のユーザーとビデオ通信する場合、スマートフォン１１のユーザーは、テーブルＰＣ１２のユーザーがスマートフォン１１のカメラ装置が採集した第１のビデオ映像を照会できないようにしたい場合、スマートフォン１１の関連ボタンをトリガして第２の指示メッセージを生成し、スマートフォン１１は第２の指示メッセージに解釈して、第１のビデオ映像をスマートフォン１１が指定された第２のビデオ映像に切り替える。
【００６５】
本実施例では、前記実施例による有益な技術効果に加え、端末の第２の指示メッセージによって、端末が現在採集した第１のビデオ映像を第２の指示メッセージが指定されたスマート機器の第２のビデオ映像で切り替えて、端末側のユーザーは、その端末が採集した場面の映像を、対応ノードのユーザーが照会するに不都合である場合、第１のビデオ映像を第２のビデオ映像に切り替え、端末のユーザーが異なるビデオ場面を切り替える自主性を向上させることができる。
【００６６】
図４は、一例示的な実施例に係るビデオ通信装置を示すブロック図であり、端末に適用される。図４に示すように、ビデオ通信装置は、
端末の対応ノード（ｃｏｒｒｅｓｐｏｎｄｅｎｔ ｎｏｄｅ）とビデオ通信する際に、ビデオ映像を切り替える必要があるかを確定する確定モジュール４１と、
確定モジュール４１がビデオ映像を切り替える必要があると確定すると、端末が採集した第１のビデオ映像を指定されたスマート機器が採集した第２のビデオ映像に切り替える切り替えモジュール４２と、
切り替えモジュール４２が切り替えた後の第２のビデオ映像を対応ノードに送信する送信モジュール４３と、を備え、
指定されたスマート機器は、端末と通信接続される。
【００６７】
図５は、一例示的な実施例に係る他のビデオ通信装置を示すブロック図であり、一実施例では、前記図４に示された実施例に加え、前記確定モジュール４１は、
対応ノードからの第１の指示メッセージを受信したかを検出する第１の検出サブモジュール４１１と、
第１の検出サブモジュール４１１が第１の指示メッセージを受信したことを検出すると、第１の指示メッセージによって、ビデオ映像を切り替える必要があるかを確定する第１の確定サブモジュール４１２と、を備える。
【００６８】
一実施例では、第１の確定サブモジュール４１２は、
第１の指示メッセージに対してトリガする第１の操作を受信したかを検出する操作検出サブモジュール４１２１と、
第１の指示メッセージに対してトリガする第１の操作を検出すると、ビデオ映像を切り替える必要があると確定する操作確定サブモジュール４１２２と、を備える。
【００６９】
ここで、第１の操作は、第１の指示メッセージを同意する操作である。例えば、一実施例では、対応ノードからの第１の指示メッセージを受信すると、前記第１の指示メッセージを同意するためのコントロールボタンを携帯し、端末のユーザーは、前記同意コントロールボタンをトリガしてビデオ映像を切り替える必要があると確認することができる。また、前記第１の指示メッセージは、前記第１の指示メッセージを拒絶するためのコントロールボタンを携帯してもよく、端末のユーザーは、前記拒絶コントロールボタンをトリガして切り替える必要がないビデオ映像を確認することができる。
【００７０】
一実施例では、前記確定モジュール４１は、
端末からの第２の指示メッセージを受信したかを検出する第２の検出サブモジュール４１３と、
第２の検出サブモジュール４１３が第２の指示メッセージを受信したことを検出すると、第２の指示メッセージによって、ビデオ映像を切り替える必要があるかを確定する第２の確定サブモジュール４１４と、をさらに備える。
【００７１】
一実施例では、切り替えモジュール４２は、
指定されたスマート機器の身分識別子を確定する第３の確定サブモジュール４２１と、
第３の確定サブモジュール４２１が確定した身分識別子によって、指定されたスマート機器が端末とローカルエリアネットワーク（ＬＡＮ）を介して通信接続されると確定する通信確立サブモジュール４２２と、
身分識別子によって、端末が採集した第１のビデオ映像を、通信確立サブモジュール４２２が確立した通信接続を介して、指定されたスマート機器が採集した第２のビデオ映像に切り替える切り替えサブモジュール４２３と、を備える。
【００７２】
一実施例では、送信モジュール４３は、
対応ノードと接続されるネットワーク類型を検出する第３の検出サブモジュールと、
第３の検出サブモジュール４３１が対応ノードと通信ネットワークを介して通信することを検出すると、通信ネットワークを介して第２のビデオ映像を対応ノードに送信する第１の送信サブモジュール４３２と、
検出サブモジュール４３１が対応ノードとインターネットを介して通信することを検出すると、インターネットを介して第２のビデオ映像を対応ノードに送信する第２の送信サブモジュール４３３と、を備える。
【００７３】
前記実施例の装置において、その中のそれぞれのモジュールが操作を実行する具体的な方法は、関連される前記方法の実施例で詳細に説明したので、ここで説明を省略する。
【００７４】
図６は、一例示的実施例に係るビデオ装置に適用するブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ等のものであってもよい。
【００７５】
図６参照すると、装置６００は、処理ユニット６０２、メモリ６０４、電源ユニット６０６、マルチメディアユニット６０８、オーディオユニット６１０、入力/出力（Ｉ/Ｏ）インターフェース６１２、センサーユニット６１４、及び通信ユニット６１６からなる群から選ばれる少なくとも１つを備えてもよい。
【００７６】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも１つのプロセッサー６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【００７７】
メモリ６０４は、装置６００での操作をサポートするように、各種のデータを記憶するように配置される。これらのデータは、例えば、装置６００で何れのアプリケーション又は方法を操作するための命令、連絡先データ、電話帳データ、メッセージ、画像、ビデオ等を含む。メモリ６０４は、何れの類型の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【００７８】
電源ユニット６０６は、装置６００の各種ユニットに電力を供給するためのものであり、電源管理システム、１つ又は複数の電源、及び装置６００のために電力を生成、管理及び分配することに関連する他のユニットを備えてもよい。
【００７９】
マルチメディアユニット６０８は、装置６００とユーザーとの間に出力インターフェースを提供するスクリーンを備えてもよい。スクリーンは、例えば、液晶表示（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット６０８は、フロントカメラ及び/又はバックカメラを有してもよい。装置６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００８０】
オーディオユニット６１０は、オーディオ信号を出力及び/又は入力するように配置される。例えば、オーディオユニット６１０は、マイクロフォン（ＭｉＣ）を有してもよい。装置６００が、例えば、呼び出しモード、記録モード、又は音声認識モードのような操作モードにあるとき、マイクロフォンは、外部のオーディオ信号を受信するように配置される。受信したオーディオ信号は、メモリ６０４にさらに記憶されてもよいし、通信ユニット６１６を介して送信されてもよい。一実施例では、オーディオユニット６１０は、オーディオ信号を出力するためのスピーカをさらに備えてもよい。
【００８１】
Ｉ/Ｏインターフェース６１２は、処理ユニット６０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００８２】
センサーユニット６１４は、装置６００のために各方面の状態を評価する少なくとも１つのセンサーを備えてもよい。例えば、センサーユニット６１４は、装置６００のオン/オフ状態や、ユニットの相対的な位置を検出することができる。例えば、前記ユニットは、装置６００の表示及びキーパッドである。センサーユニット６１４は、装置６００又は装置６００の１つのユニットの位置の変化、ユーザーによる装置６００への接触の有無、装置６００の方向又は加速/減速、装置６００の温度変化などを検出することができる。センサーユニット６１４は、何れの物理的な接触もない場合に付近の物体を検出するように配置される近接センサーを有してもよい。センサーユニット６１４は、イメージングアプリケーションに用いるための光センサー、例えば、ＣＭＯＳ又はＣＣＤ画像センサーを有してもよい。一実施例では、当該センサーユニット６１４は、加速度センサー、ジャイロスコープセンサー、磁気センサー、圧力センサー又は温度センサーをさらに備えてもよい。
【００８３】
通信ユニット６１６は、装置６００と他の設備の間との無線又は有線通信を便利にさせるように配置される。装置６００は、通信標準に基づく無線ネットワーク、例えば、ＷｉＦｉ、２Ｇ又は３Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００８４】
例示的な実施例では、装置６００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００８５】
例示的な実施例では、命令を有する非一時的コンピュータ読み取り可能な記録媒体、例えば、命令を有するメモリ６０４をさらに提供する。前記命令は、装置６００のプロセッサー６２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【００８６】
当業者は、明細書に対する理解、及び明細書に記載された発明に対する実施を通じて、本発明の他の実施形態を容易に得ることができる。本発明は、本発明に対する任意の変形、用途、又は適応的な変化を含み、このような変形、用途、又は適応的な変化は、本発明の一般的な原理に従い、本発明では開示していない本技術分野の公知の知識、又は通常の技術手段を含む。明細書と実施例は、ただ例示的なものであって、本発明の本当の範囲と主旨は、以下の特許請求の範囲によって示される。
【００８７】
本発明は、前記で記述し、図面で図示した特定の構成に限定されず、その範囲を離脱しない状況で、様様な修正と変更を実現できる。本発明の範囲は、添付される特許請求の範囲のみにより限定される。
【００８８】
本願発明は、出願番号が２０１５１０２９００３９．６であって、出願日が２０１５年５月２９日である中国特許出願を基礎として優先権を主張し、当該中国特許出願の内容の全体は本願発明に援用される。
【図１Ａ】
2017524316.tif 000003
【図１Ｂ】
2017524316.tif 000004
【図２】
2017524316.tif 000005
【図３】
2017524316.tif 000006
【図４】
2017524316.tif 000007
【図５】
2017524316.tif 000008
【図６】
2017524316.tif 000009
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
端末に適用されるビデオ通信方法であって、
前記端末の対応ノード（ｃｏｒｒｅｓｐｏｎｄｅｎｔ  ｎｏｄｅ）とビデオ通信する際に、ビデオ映像を切り替える必要があるかを確定するステップと、
ビデオ映像を切り替える必要があると確定されると、前記端末が採集した第１のビデオ映像を、指定されたスマート機器が採集した第２のビデオ映像に切り替えるステップと、
前記第２のビデオ映像を前記対応ノードに送信するステップと、を含み、
前記指定されたスマート機器は、前記端末と通信接続されることを特徴とするビデオ通信方法。
【請求項２】
前記ビデオ映像を切り替える必要があるかを確定するステップは、
前記対応ノードからの第１の指示メッセージを受信したかを検出するステップと、
前記第１の指示メッセージが受信されると、前記第１の指示メッセージによって、ビデオ映像を切り替える必要があるかを確定するステップと、を含むことを特徴とする請求項１に記載のビデオ通信方法。
【請求項３】
前記第１の指示メッセージによって、ビデオ映像を切り替える必要があるかを確定するステップは、
前記第１の指示メッセージに対してトリガする第１の操作を受信したかを検出するステップと、
前記第１の指示メッセージに対してトリガする第１の操作が検出されると、ビデオ映像を切り替える必要があると確定するステップと、を含むことを特徴とする請求項２に記載のビデオ通信方法。
【請求項４】
前記ビデオ映像を切り替える必要があるかを確定するステップは、
前記端末からの第２の指示メッセージを受信したかを検出するステップと、
前記第２の指示メッセージが受信されると、前記第２の指示メッセージによって、ビデオ映像を切り替える必要があるかを確定するステップと、を含むことを特徴とする請求項１に記載のビデオ通信方法。
【請求項５】
前記端末が採集した第１のビデオ映像を、指定されたスマート機器が採集した第２のビデオ映像に切り替えるステップは、
指定されたスマート機器の身分識別子を確定するステップと、
前記身分識別子によって、前記指定されたスマート機器が前記端末とローカルエリアネットワーク（ＬＡＮ）を介して通信接続されることを確定するステップと、
前記身分識別子によって、前記端末が採集した第１のビデオ映像を、指定されたスマート機器が採集した第２のビデオ映像に切り替えるステップと、を含むことを特徴とする請求項１に記載のビデオ通信方法。
【請求項６】
前記第２のビデオ映像を前記対応ノードに送信するステップは、
前記対応ノードと接続されるネットワーク類型を検出するステップと、
前記対応ノードと通信ネットワークを介して通信することが検出されると、前記通信ネットワークを介して前記第２のビデオ映像を前記対応ノードに送信するステップと、
前記対応ノードとインターネットを介して通信することが検出されると、前記インターネットを介して前記第２のビデオ映像を前記対応ノードに送信するステップと、を含むことを特徴とする請求項１に記載のビデオ通信方法。
【請求項７】
端末に適用されるビデオ通信装置であって、
前記端末の対応ノード（ｃｏｒｒｅｓｐｏｎｄｅｎｔ  ｎｏｄｅ）とビデオ通信する際に、ビデオ映像を切り替える必要があるかを確定する確定モジュールと、
前記確定モジュールがビデオ映像を切り替える必要があると確定すると、前記端末が採集した第１のビデオ映像を、指定されたスマート機器が採集した第２のビデオ映像に切り替える切り替えモジュールと、
前記切り替えモジュールが切り替えた後の前記第２のビデオ映像を前記対応ノードに送信する送信モジュールと、を備え、
前記指定されたスマート機器は、前記端末と通信接続されることを特徴とするビデオ通信装置。
【請求項８】
前記確定モジュールは、
前記対応ノードからの第１の指示メッセージを受信したかを検出する第１の検出サブモジュールと、
前記第１の検出サブモジュールが前記第１の指示メッセージを受信したことを検出すると、前記第１の指示メッセージによって、ビデオ映像を切り替える必要があるかを確定する第１の確定サブモジュールと、を備えることを特徴とする請求項７に記載のビデオ通信装置。
【請求項９】
前記第１の確定サブモジュールは、
前記第１の指示メッセージに対してトリガする第１の操作を受信したかを検出する操作検出サブモジュールと、
前記操作検出サブモジュールが前記第１の指示メッセージに対してトリガする第１の操作を検出すると、ビデオ映像を切り替える必要があると確定する操作確定サブモジュールと、を備えることを特徴とする請求項８に記載のビデオ通信装置。
【請求項１０】
前記確定モジュールは、
前記端末からの第２の指示メッセージを受信したかを検出する第２の検出サブモジュールと、
前記第２の検出サブモジュールが前記第２の指示メッセージを受信したことを検出すると、前記第２の指示メッセージによって、ビデオ映像を切り替える必要があるかを確定する第２の確定サブモジュールと、を備えることを特徴とする請求項７に記載のビデオ通信装置。
【請求項１１】
前記切り替えモジュールは、
指定されたスマート機器の身分識別子を確定する第３の確定サブモジュールと、
前記第３の確定サブモジュールが確定した前記身分識別子によって、前記指定されたスマート機器が前記端末とローカルエリアネットワーク（ＬＡＮ）を介して通信接続されることを確定する通信確立サブモジュールと、
前記身分識別子によって、前記端末が採集した第１のビデオ映像を、前記通信確立サブモジュールが確立した前記通信接続を介して、指定されたスマート機器が採集した第２のビデオ映像に切り替える切り替えサブモジュールと、を備えることを特徴とする請求項７に記載のビデオ通信装置。
【請求項１２】
前記送信モジュールは、
前記対応ノードと接続されるネットワーク類型を検出する第３の検出サブモジュールと、
前記第３の検出サブモジュールが前記対応ノードと通信ネットワークを介して通信することを検出すると、前記通信ネットワークを介して前記第２のビデオ映像を前記対応ノードに送信する第１の送信サブモジュールと、
前記第３の検出サブモジュールが前記対応ノードとインターネットを介して通信することを検出すると、前記インターネットを介して前記第２のビデオ映像を前記対応ノードに送信する第２の送信サブモジュールと、を備えることを特徴とする請求項７に記載のビデオ通信装置。
【請求項１３】
プロセッサーと、
前記プロセッサーによって実行可能な命令を記憶するメモリと、を備え、
前記プロセッサーは、
端末の対応ノード（ｃｏｒｒｅｓｐｏｎｄｅｎｔ ｎｏｄｅ）とビデオ通信する時、ビデオ映像を切り替える必要があるかを確定し、
前記ビデオ映像を切り替える必要があると確定されると、前記端末が採集した第１のビデオ映像を、指定されたスマート機器が採集した第２のビデオ映像に切り替え、
前記第２のビデオ映像を前記対応ノードに送信するように構成され、
前記指定されたスマート機器は、前記端末と通信接続されることを特徴とするビデオ通信装置。
【請求項１４】
プロセッサーに実行されることにより、請求項１から請求項６のいずれか１項に記載のビデオ通信方法を実現するコンピュータ読取可能な記録媒体に記録されたプログラム。
【請求項１５】
請求項１４に記載のプログラムが記録されたコンピュータ読取可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、インターネット技術の分野に関し、更に詳細には、ビデオ通信方法、装置、プログラム及び記録媒体に関する。
【背景技術】
【０００２】
通信技術の迅速な発展につれて、ビデオに基づく通信方式は、文字を入力しなくても、音声方式を介して対面（ｆａｃｅ ｔｏ  ｆａｃｅ）しながらコミュニケーションを実現することができるので、益々多くのユーザーがビデオ通信を使用している。関連技術では、ユーザーＡは、携帯電話でチャットソフトウェア（又はアプリケーションプログラム）にログインして、ユーザーＢとビデオ通信する際に、ユーザーＡがコンピュータで同時に同一のチャットＩＤにログインすると、携帯電話のビデオソースは、コンピュータに切り替え、この場合、ユーザーＢは、コンピュータのビデオソースのみを見ることができる。従って、ビデオソースの表示方式が比較的単一になり、ユーザーＢがユーザーＡ側の異なるビデオソースを融通性よく見ることができない。
【発明の概要】
【発明が解決しようとする課題】
【０００３】
本発明は、関連技術に存在する問題を解決するために、異なるビデオソースを表示できる融通性を向上させることができるビデオ通信方法、装置、プログラム及び記録媒体を提供する。
【課題を解決するための手段】
【０００４】
本発明の第１の態様によれば、端末に適用されるビデオ通信方法が提供され、前記方法は、
前記端末の対応ノード（ｃｏｒｒｅｓｐｏｎｄｅｎｔ  ｎｏｄｅ）とビデオ通信する際に、ビデオ映像を切り替える必要があるかを確定するステップと、
ビデオ映像を切り替える必要があると確定されると、前記端末が採集した第１のビデオ映像を、指定されたスマート機器が採集した第２のビデオ映像に切り替えるステップと、
前記第２のビデオ映像を前記対応ノードに送信するステップと、を含み、
前記指定されたスマート機器は、前記端末と通信接続される。
【０００５】
一実施態様において、前記ビデオ映像を切り替える必要があるかを確定するステップは、
前記対応ノードからの第１の指示メッセージを受信したかを検出するステップと、
前記第１の指示メッセージが受信されると、前記第１の指示メッセージによって、ビデオ映像を切り替える必要があるかを確定するステップと、を含む。
【０００６】
一実施態様において、前記第１の指示メッセージによって、ビデオ映像を切り替える必要があるかを確定するステップは、
前記第１の指示メッセージに対してトリガする第１の操作を受信したかを検出するステップと、
前記第１の指示メッセージに対してトリガする第１の操作が検出されると、ビデオ映像を切り替える必要があると確定するステップと、を含む。
【０００７】
一実施態様において、前記ビデオ映像を切り替える必要があるかを確定するステップは、
前記端末からの第２の指示メッセージを受信したかを検出するステップと、
前記第２の指示メッセージが受信されると、前記第２の指示メッセージによって、ビデオ映像を切り替える必要があるかを確定するステップと、を含む。
【０００８】
一実施態様において、前記端末が採集した第１のビデオ映像を、指定されたスマート機器が採集した第２のビデオ映像に切り替えるステップは、
指定されたスマート機器の身分識別子を確定するステップと、
前記身分識別子によって、前記指定されたスマート機器が前記端末とローカルエリアネットワーク（ＬＡＮ）を介して通信接続されることを確定するステップと、
前記身分識別子によって、前記端末が採集した第１のビデオ映像を、指定されたスマート機器が採集した第２のビデオ映像に切り替えるステップと、を含む。
【０００９】
一実施態様において、前記第２のビデオ映像を前記対応ノードに送信するステップは、
前記対応ノードと接続されるネットワーク類型を検出するステップと、
前記対応ノードと通信ネットワークを介して通信することが検出されると、前記通信ネットワークを介して前記第２のビデオ映像を前記対応ノードに送信するステップと、
前記対応ノードとインターネットを介して通信することが検出されると、前記インターネットを介して前記第２のビデオ映像を前記対応ノードに送信するステップと、を含む。
【００１０】
本発明の第２の態様によれば、端末に適用されるビデオ通信装置が提供され、前記装置は、
前記端末の対応ノード（ｃｏｒｒｅｓｐｏｎｄｅｎｔ  ｎｏｄｅ）とビデオ通信する際に、ビデオ映像を切り替える必要があるかを確定する確定モジュールと、
前記確定モジュールがビデオ映像を切り替える必要があると確定すると、前記端末が採集した第１のビデオ映像を、指定されたスマート機器が採集した第２のビデオ映像に切り替える切り替えモジュールと、
前記切り替えモジュールが切り替えた後の前記第２のビデオ映像を前記対応ノードに送信する送信モジュールと、を備え、
前記指定されたスマート機器は、前記端末と通信接続される。
【００１１】
一実施態様において、前記確定モジュールは、
前記対応ノードからの第１の指示メッセージを受信したかを検出する第１の検出サブモジュールと、
前記第１の検出サブモジュールが前記第１の指示メッセージを受信したことを検出すると、前記第１の指示メッセージによって、ビデオ映像を切り替える必要があるかを確定する第１の確定サブモジュールと、を備える。
【００１２】
一実施態様において、前記第１の確定サブモジュールは、
前記第１の指示メッセージに対してトリガする第１の操作を受信したかを検出する操作検出サブモジュールと、
前記操作検出サブモジュールが前記第１の指示メッセージに対してトリガする第１の操作を検出すると、ビデオ映像を切り替える必要があると確定する操作確定サブモジュールと、を備える。
【００１３】
一実施態様において、前記確定モジュールは、
前記端末からの第２の指示メッセージを受信したかを検出する第２の検出サブモジュールと、
前記第２の検出サブモジュールが前記第２の指示メッセージを受信したことを検出すると、前記第２の指示メッセージによって、ビデオ映像を切り替える必要があるかを確定する第２の確定サブモジュールと、を備える。
【００１４】
一実施態様において、前記切り替えモジュールは、
指定されたスマート機器の身分識別子を確定する第３の確定サブモジュールと、
前記第３の確定サブモジュールが確定した前記身分識別子によって、前記指定されたスマート機器が前記端末とローカルエリアネットワーク（ＬＡＮ）を介して通信接続されることを確定する通信確立サブモジュールと、
前記身分識別子によって、前記端末が採集した第１のビデオ映像を、前記通信確立サブモジュールが確立した前記通信接続を介して、指定されたスマート機器が採集した第２のビデオ映像に切り替える切り替えサブモジュールと、を備える。
【００１５】
一実施態様において、前記送信モジュールは、
前記対応ノードと接続されるネットワーク類型を検出する第３の検出サブモジュールと、
前記第３の検出サブモジュールが前記対応ノードと通信ネットワークを介して通信することを検出すると、前記通信ネットワークを介して前記第２のビデオ映像を前記対応ノードに送信する第１の送信サブモジュールと、
前記検出サブモジュールが前記対応ノードとインターネットを介して通信することを検出すると、前記インターネットを介して前記第２のビデオ映像を前記対応ノードに送信する第２の送信サブモジュールと、を備える。
【００１６】
本発明の第３の態様によれば、端末に適用されるビデオ通信装置が提供され、前記装置は、
プロセッサーと、
前記プロセッサーによって実行可能な命令を記憶するメモリと、を備え、
前記プロセッサーは、
前記端末の対応ノード（ｃｏｒｒｅｓｐｏｎｄｅｎｔ ｎｏｄｅ）とビデオ通信する時、ビデオ映像を切り替える必要があるかを確定し、
ビデオ映像を切り替える必要があると確定されると、前記端末が採集した第１のビデオ映像を、指定されたスマート機器が採集した第２のビデオ映像に切り替え、
前記第２のビデオ映像を前記対応ノードに送信するように構成され、
前記指定されたスマート機器は、前記端末と通信接続される。
本発明の第４の態様によれば、
プロセッサーに実行されることにより、上記のビデオ通信方法を実現する、コンピュータ読取可能な記録媒体に記録されたプログラムを提供する。
本発明の第５の態様によれば、
上記プログラムが記録されたコンピュータ読取可能な記録媒体を提供する。
【発明の効果】
【００１７】
本発明が提供した技術的案によれば、以下のような有益な効果を奏することができる。即ち、
ビデオ映像を切り替える必要があると確定されると、端末が採集した第１のビデオ映像を指定されたスマート機器が採集した第２のビデオ映像に切り替えて、端末側で指定されたスマート機器が採集したビデオ映像を融通性よく切り替えることができる。従って、対応ノード側で、端末側のビデオ映像がさらに多様化になり、対応ノードのユーザーが端末側の異なるスマート機器が採集したビデオ映像を照会することが便利になり、異なるビデオソースを表示する融通性を向上させることができる。
【００１８】
なお、前記一般的な記載及び後述の詳細な記載は、単なる例示的で解釈的な記載であり、本発明を限定しない。
【図面の簡単な説明】
【００１９】
以下の図面は、明細書に組み入れて本明細書の一部分を構成し、本発明に該当する実施例を例示するとともに、明細書とともに本発明の原理を解釈する。
【図１Ａ】一例示的な実施例に係るビデオ通信方法を示すフローチャートである。
【図１Ｂ】一例示的な実施例に係るビデオ通信方法を示す応用場面図ある。
【図２】一例示的な第１の実施例に係るビデオ通信方法を示すフローチャートである。
【図３】一例示的な第２の実施例に係るビデオ通信方法を示すフローチャートである。
【図４】一例示的な実施例に係るビデオ通信装置を示すブロック図である。
【図５】一例示的な実施例に係る他のビデオ通信装置を示すブロック図である。
【図６】一例示的な実施例に係るビデオ通信装置に適用されるブロック図である。
【発明を実施するための形態】
【００２０】
以下、例示的な実施例を詳しく説明し、その例示を図面に示す。以下の記載が図面に関わる場合、特に別の説明がない限り、異なる図面における同一の数字は同じ又は類似する要素を示す。以下の例示的な実施形態に記載の実施例は、本発明と一致する全ての実施例を代表することではない。逆に、それらは、特許請求の範囲に記載の本発明のある方面に一致する装置及び方法の例に過ぎない。
【００２１】
図１Ａは、一例示的な実施例に係るビデオ通信方法を示すフローチャートであり、図１Ｂは一例示的な実施例に係るビデオ通信方法を示す応用場面図ある。前記ビデオ通信方法は、端末（例えば、スマートフォン、タブレットＰＣ、テーブルＰＣ）に適用されることができ、図１Ａに示すように、前記ビデオ通信方法は、以下のようなステップＳ１０１乃至ステップＳ１０３を含む。
【００２２】
ステップＳ１０１：端末の対応ノード（ｃｏｒｒｅｓｐｏｎｄｅｎｔ ｎｏｄｅ）とビデオ通信する際に、ビデオ映像を切り替える必要があるかを確定する。
【００２３】
一実施例では、端末は、インターネットを介して対応ノードとビデオ通信することができ、また、３Ｇ又は４Ｇなどの通信ネットワークを介して対応ノードとビデオ通信することができる。一実施例では、対応ノードからの第１の指示メッセージによってビデオ映像を切り替えることができる。第１の指示メッセージは、対応ノードのユーザーが自体の需要に応じて確定することができる。他の実施例では、端末の第２の指示メッセージによってビデオ映像を切り替えることができる。第２の指示メッセージは、端末のユーザーが対応ノードのユーザーの指示によって端末を操作することでトリガ生成される。
【００２４】
ステップＳ１０２：ビデオ映像を切り替える必要があると確定されると、端末が採集した第１のビデオ映像を指定されたスマート機器が採集した第２のビデオ映像に切り替える。指定されたスマート機器は、端末と通信接続する。
【００２５】
一実施例では、指定されたスマート機器は、対応ノードを通じて指定されることができ、また、端末を介して指定されることもでき、具体的に、端末のユーザーと対応ノードのユーザーとの間の具体的な需要に応じて確定される。一実施例では、端末とローカルエリアネットワーク（ＬＡＮ）を介して通信接続されるスマート機器は１つであってもよく、又は２つ以上であってもよい。一実施例では、異なるスマート機器は、異なる位置に設置することができる。従って、異なる場所や空間のビデオ映像を採集することができ、端末は、リスト方式を介してスマート機器の身分識別子及び空間位置を記録することができる。
【００２６】
ステップＳ１０３：第２のビデオ映像を対応ノードに送信する。
【００２７】
一実施例では、端末と対応ノードとの間のネットワーク類型によって、どのネットワークを介して第２のビデオ映像を対応ノードに送信するかを確定する。例えば、端末と対応ノードとの間に３Ｇ又は４Ｇ通信ネットワークのみを通じてビデオ通信する場合、両者間の正常な通信を確保するために、３Ｇ又は４Ｇ通信ネットワークを介して第２のビデオ映像を対応ノードに送信し、端末と対応ノードとの間にインターネットを介してビデオ通信する場合、インターネットを介して第２のビデオ映像を対応ノードに送信するので、端末のネットワークコストを節約することができる。
【００２８】
以下、図１Ｂを介して、本発明に対して例示的な説明を行う。図１Ｂに示すように、スマートフォン１１がインターネットにアクセスしたことが検出された状況で、スマートフォン１１を使用するユーザーとテーブルＰＣを使用するユーザーがビデオ通信する場合、スマートフォン１１は、まず、スマートカメラ１３１及びスマートカメラ１３２と通信接続するネットワーク類型を検出する。スマートフォン１１が、スマートカメラ１３１及びスマートカメラ１３２とローカルエリアネットワークを介して接続したことを検出すると、スマートフォン１１は、現在の第１のビデオ映像を、スマートカメラ１３１及びスマートカメラ１３２のうちいずれか１つのスマート機器（例えば、スマートカメラ１３１）が採集した第２のビデオ映像に切り替える必要がある場合、スマートフォン１１は、スマートカメラ１３１から第２のビデオ映像を取得するとともに、第２のビデオ映像をインターネット又は３Ｇ又は４Ｇ通信ネットワークを介してテーブルＰＣ１２に送信する。このような場合、スマートカメラ１３１及びスマートカメラ１３２は、インターネット又は３Ｇ又は４Ｇ通信ネットワークにアクセスする必要がないため、スマートフォン１１側で、異なるスマート機器が採集したビデオ映像を融通性よく切り替えることができる。
【００２９】
他の実施例では、スマートフォン１１がローカルエリアネットワークを介してスマートカメラ１３１に接続していないことを検出すると、スマートフォン１１は、スマートカメラ１３１と確立可能な通信接続の類型を確定することができる。例えば、スマートフォン１１が４Ｇを介してスマートカメラ１３１との通信接続の確立可能なことを検出すると、スマートフォン１１は、４Ｇ通信ネットワークを介してスマートカメラ１３１からのビデオ映像を受信することができ、これによって、対応ノードのユーザーがスマートカメラ１３１が採集したビデオ映像を照会することができるように確保する。同様に、スマートフォン１１がインターネットを介してスマートカメラ１３１との通信接続の確立可能なことを検出すると、スマートフォン１１は、インターネットを介してスマートカメラ１３１からのビデオ映像を受信することができ、これによって、対応ノードのユーザーがスマートカメラ１３１が採集したビデオ映像を照会することができるように確保する。また類似的に、スマートフォン１１が３Ｇを介してスマートカメラ１３１との通信接続の確立可能なことを検出すると、スマートフォン１１は３Ｇを介してスマートカメラ１３１からのビデオ映像を受信することができ、これによって、対応ノードのユーザーがスマートカメラ１３１が採集したビデオ映像を照会することができるように確保する。
【００３０】
本実施例では、ビデオ映像を切り替える必要があると確定されると、端末が採集した第１のビデオ映像を、指定されたスマート機器が採集した第２のビデオ映像に切り替えて、端末側で、指定されたスマート機器が採集したビデオ映像を融通性よく切り替えることができる。従って、対応ノード側で、端末側のビデオ映像がさらに多様化に表示され、対応ノードのユーザーが端末側の異なるスマート機器が採集したビデオ映像を便利に照会するとともに、異なるビデオソースを表示する融通性を向上させることができる。
【００３１】
一実施例では、ビデオ映像を切り替える必要があるかを確定するステップは、
対応ノードからの第１の指示メッセージを受信したかを検出するステップと、
第１の指示メッセージを受信されると、第１の指示メッセージによって、ビデオ映像を切り替える必要があるかを確定するステップと、を含む。
【００３２】
一実施例では、第１の指示メッセージによって、ビデオ映像を切り替える必要があるかを確定するステップは、
第１の指示メッセージに対してトリガする第１の操作を受信したかを検出するステップと、
第１の指示メッセージに対してトリガする第１の操作が検出されると、ビデオ映像を切り替える必要があると確定するステップと、を含む。
【００３３】
一実施例では、ビデオ映像を切り替える必要があるか確定するステップは、
端末からの第２の指示メッセージを受信したかを検出するステップと、
第２の指示メッセージが受信されると、第２の指示メッセージによって、ビデオ映像を切り替える必要があるかを確定するステップと、を含む。
【００３４】
一実施例では、端末が採集した第１のビデオ映像を指定されたスマート機器が採集した第２のビデオ映像に切り替えるステップは、
指定されたスマート機器の身分識別子を確定するステップと、
前記身分識別子によって、前記指定されたスマート機器が前記端末とローカルエリアネットワーク（ＬＡＮ）を介して通信接続されることを確定するステップと、
身分識別子によって、端末が採集した第１のビデオ映像を、指定されたスマート機器が採集した第２のビデオ映像に切り替えるステップと、を含む。
【００３５】
一実施例では、第２のビデオ映像を対応ノードに送信するステップは、
対応ノードと接続されるネットワーク類型を検出するステップと、
対応ノードと通信ネットワークを介して通信すると検出されると、通信ネットワークを介して第２のビデオ映像を前記対応ノードに送信するステップと、
対応ノードとインターネットを介して通信すると検出されると、インターネットを介して第２のビデオ映像を対応ノードに送信するステップを含む。
【００３６】
具体的には、ビデオ通信をどのように実現するかについて、後続の実施例を参照すればよい。
【００３７】
ここまで、本発明の実施例が提供した前記方法によれば、端末側で、指定されたスマート機器が採集したビデオ映像を融通性よく切り替えることができる。従って、対応ノード側で、端末側のビデオ映像をさらに多様化に表示することができ、対応ノードのユーザーが端末側の異なるスマート機器が採集したビデオ映像を便利に照会することができ、異なるビデオソースを表示する融通性を向上させることができる。
【００３８】
以下、具体的な実施例を挙げて、本発明の実施例が提供する技術手段を説明する。
【００３９】
図２は、一例示的な実施例に係るビデオ通信方法を示すフローチャートである。本実施例は、本発明の実施例が提供する前記方法を利用し、端末が対応ノード側からの第１の指示メッセージを受信してビデオ通信を実現することを例とし、図１Ｂと併せて例示的な説明を行う。図２に示すように、以下のようなステップを含む。
【００４０】
ステップＳ２０１：端末の対応ノードとビデオ通信する際に、対応ノードからの第１の指示メッセージを受信する。
【００４１】
一実施例では、対応ノードの第１の指示メッセージは、対応ノードのユーザーが、対応ノードのビデオ通信ソフトウェア又はビデオ通信アプリケーションプログラム（ａｐｐ）に設置された関連ボタンをトリガして生成され、端末は、インターネットを介して前記第１の指示メッセージを受信してもよく、３Ｇ又は４Ｇ通信ネットワークを介して前記第１の指示メッセージを受信してもよい。
【００４２】
ステップＳ２０２：第１の指示メッセージによって、ビデオ映像を切り替える必要があるかを確定する。
【００４３】
一実施例では、第１の指示メッセージに対してトリガする第１の操作が検出された場合、ビデオ映像を切り替える必要があると確定する。ここで、第１の操作は、例えば、第１の指示メッセージを同意する操作である。例えば、一実施例では、対応ノードが送信する第１の指示メッセージを受信した時、前記第１の指示メッセージを同意するためのコントロールボタンを携帯し、端末のユーザーは、前記同意コントロールボタンをトリガしてビデオ映像を切り替える必要があると確認する。また、例えば、前記第１の指示メッセージは、前記第１の指示メッセージを拒絶するためのコントロールボタンを携帯してもよく、端末のユーザーが前記拒絶コントロールボタンをトリガしてビデオ映像を切り替える必要がないと確認する。
【００４４】
ステップＳ２０３：ビデオ映像を切り替える必要があると確定される場合、指定されたスマート機器の身分識別子を確定する。
【００４５】
ステップＳ２０２及びステップＳ２０３において、一実施例では、第１の指示メッセージに対して解釈して、第１の指示メッセージがビデオ映像を切り替えるための第１の要求メッセージを携帯したかを確定する。ビデオ映像を切り替えるための第１の要求メッセージを携帯した場合、ビデオ映像を切り替える必要があると確定し、さらに、第１の指示メッセージを解釈して対応ノードのユーザーが指定したスマート機器の身分識別子を取得する。
【００４６】
ステップＳ２０４：身分識別子によって、端末が採集した第１のビデオ映像を指定されたスマート機器が採集した第２のビデオ映像に切り替える。
【００４７】
例えば、図１Ｂに示すように、対応ノードはテーブルＰＣ１２であり、テーブルＰＣ１２は、スマートカメラ１３１の身分識別子を第１の指示メッセージに携帯させることにより、スマートフォン１１が第１の指示メッセージを受信した後、第１の指示メッセージに解釈して、ビデオ映像を切り替える必要があるスマート機器がスマートカメラ１３１であることを確定する。
【００４８】
ステップＳ２０５：対応ノードと接続されるネットワーク類型を確定する。対応ノードと通信ネットワークを介して通信すると、ステップＳ２０６を実行し、対応ノードとインターネットを介して通信すると、ステップＳ２０７を実行する。
【００４９】
一実施例では、端末は、対応ノードと通信ネットワークを介してビデオ通信することができるだけでなく、インターネットを介してビデオ通信することもできる。一実施例では、通信ネットワークは、ネットワーク事業者が提供した３Ｇ、４Ｇなどのネットワークであってもよい。
【００５０】
ステップＳ２０６：対応ノードと通信ネットワークを介して通信することが検出されると、通信ネットワークを介して第２のビデオ映像を対応ノードに送信する。
【００５１】
ステップＳ２０７：対応ノードとインターネットを介して通信することが検出されると、インターネットを介して第２のビデオ映像を対応ノードに送信する。
【００５２】
一実施例では、端末側がＷｉＦｉ（登録商標）を介してインターネットにアクセスしていない場合、対応ノードのユーザーが端末側及びスマート機器側の場面画面を正常に照会することができるように確保するために、端末は３Ｇ又は４Ｇ通信ネットワークを介して第２のビデオ映像を対応ノードに送信してもよい。端末側がＷＩＦＩ又はネットワークインターフェースを介してインターネットにアクセスする際に、端末のユーザーのネットワークコストを節約するために、端末はインターネットを介して第２のビデオ映像を対応ノードに送信する。
【００５３】
一例示的な場面として、図１Ｂに示すように、スマートフォン１１のユーザーは在宅し、スマートカメラ１３１及びスマートカメラ１３２がスマートフォン１１のユーザーの家の異なる部屋に設置される。テーブルＰＣ１２のユーザーがスマートフォン１１のユーザーとビデオ通信する場合、スマートカメラ１３１及びスマートカメラ１３２の対応する空間の状況を検査する必要がある。この場合、テーブルＰＣ１２のユーザーは、スマートフォン１１に第１の指示メッセージを送信し、第１の指示メッセージは、検査する必要があるスマートカメラ（例えば、スマートカメラ１３１）に対応する空間状況を携帯し、スマートフォン１１は、第１の指示メッセージに対して解釈した後、第１の指示メッセージに対してトリガする第１の操作を検出すると、ビデオ映像を切り替える必要があると確定し、スマートフォン１１は、自身に設置したカメラ装置が採集した第１のビデオ映像をスマートカメラ１３１が採集した第２のビデオ映像に切り替えて、テーブルＰＣ１２側のユーザーが、スマートカメラ１３１が採集した映像を照会することができる。
【００５４】
本実施例では、前記実施例による有益な技術効果に加え、対応ノードの第１の指示メッセージによって、端末が現在採集した第１のビデオ映像を第１の指示メッセージが指定したスマート機器の第２のビデオ映像に切り替えて、対応ノードの端末側に対するコントロールを容易にし、対応ノードのユーザーが端末側のビデオ場面を切り替える自主性を向上させることができる。
【００５５】
図３は、一例示的な実施例に係るビデオ通信方法を示すフローチャートであり、本実施例は、本発明の実施例が提供する前記方法を利用し、端末側で第２の指示メッセージを確定してビデオ通信を実現することを例とし、図１Ｂと併せて例示的説明を行う。図３に示すように、下記のようなステップを含む。
【００５６】
ステップＳ３０１：端末の対応ノードとビデオ通信する際に、端末のユーザーによりトリガした第２の指示メッセージを確定する。
【００５７】
一実施例では、第２の指示メッセージは、端末のユーザーが、端末のビデオ通信ソフトウェア又はビデオ通信アプリケーションプログラム（ａｐｐ）に設置された関連ボタンをトリガして生成される。
【００５８】
ステップＳ３０２：第２の指示メッセージによって、ビデオ映像を切り替える必要があるかを確定する。
【００５９】
一実施例では、第２の指示メッセージに対して解析して、第２の指示メッセージがビデオ映像を切り替えるための第２の要求メッセージを携帯したかを確定する。ビデオ映像を切り替えるための第２の要求メッセージを携帯すると、ビデオ映像を切り替える必要があると確定し、さらに、第２の指示メッセージを解釈して端末が指定されたスマート機器の身分識別子を取得する。
【００６０】
ステップＳ３０３：ビデオ映像を切り替える必要があると確定すると、端末が採集した第１のビデオ映像を指定されたスマート機器が採集した第２のビデオ映像に切り替える。
【００６１】
ステップＳ３０３での記述は、前記ステップＳ１０２又は前記ステップＳ２０３乃至ステップＳ２０４を参照すればよいので、ここで説明を省略する。
【００６２】
ステップＳ３０４：第２のビデオ映像を対応ノードに送信する。
【００６３】
ステップＳ３０４での記述は、前記ステップＳ１０３又は前記ステップＳ２０５乃至ステップＳ２０７を参照すればよいので、ここで説明を省略する。
【００６４】
１つの例示的な場面として、図１Ｂに示すように、端末がスマートフォン１１である場合を例に挙げて説明する。スマートフォン１１のユーザーが在宅し、スマートカメラ１３１及びスマートカメラ１３２が、スマートフォン１１のユーザーの家の異なる部屋に設置される。テーブルＰＣ１２のユーザーがスマートフォン１１のユーザーとビデオ通信する場合、スマートフォン１１のユーザーは、テーブルＰＣ１２のユーザーがスマートフォン１１のカメラ装置が採集した第１のビデオ映像を照会できないようにしたい場合、スマートフォン１１の関連ボタンをトリガして第２の指示メッセージを生成し、スマートフォン１１は第２の指示メッセージに解釈して、第１のビデオ映像をスマートフォン１１が指定された第２のビデオ映像に切り替える。
【００６５】
本実施例では、前記実施例による有益な技術効果に加え、端末の第２の指示メッセージによって、端末が現在採集した第１のビデオ映像を第２の指示メッセージが指定されたスマート機器の第２のビデオ映像で切り替えて、端末側のユーザーは、その端末が採集した場面の映像を、対応ノードのユーザーが照会するに不都合である場合、第１のビデオ映像を第２のビデオ映像に切り替え、端末のユーザーが異なるビデオ場面を切り替える自主性を向上させることができる。
【００６６】
図４は、一例示的な実施例に係るビデオ通信装置を示すブロック図であり、端末に適用される。図４に示すように、ビデオ通信装置は、
端末の対応ノード（ｃｏｒｒｅｓｐｏｎｄｅｎｔ ｎｏｄｅ）とビデオ通信する際に、ビデオ映像を切り替える必要があるかを確定する確定モジュール４１と、
確定モジュール４１がビデオ映像を切り替える必要があると確定すると、端末が採集した第１のビデオ映像を指定されたスマート機器が採集した第２のビデオ映像に切り替える切り替えモジュール４２と、
切り替えモジュール４２が切り替えた後の第２のビデオ映像を対応ノードに送信する送信モジュール４３と、を備え、
指定されたスマート機器は、端末と通信接続される。
【００６７】
図５は、一例示的な実施例に係る他のビデオ通信装置を示すブロック図であり、一実施例では、前記図４に示された実施例に加え、前記確定モジュール４１は、
対応ノードからの第１の指示メッセージを受信したかを検出する第１の検出サブモジュール４１１と、
第１の検出サブモジュール４１１が第１の指示メッセージを受信したことを検出すると、第１の指示メッセージによって、ビデオ映像を切り替える必要があるかを確定する第１の確定サブモジュール４１２と、を備える。
【００６８】
一実施例では、第１の確定サブモジュール４１２は、
第１の指示メッセージに対してトリガする第１の操作を受信したかを検出する操作検出サブモジュール４１２１と、
第１の指示メッセージに対してトリガする第１の操作を検出すると、ビデオ映像を切り替える必要があると確定する操作確定サブモジュール４１２２と、を備える。
【００６９】
ここで、第１の操作は、第１の指示メッセージを同意する操作である。例えば、一実施例では、対応ノードからの第１の指示メッセージを受信すると、前記第１の指示メッセージを同意するためのコントロールボタンを携帯し、端末のユーザーは、前記同意コントロールボタンをトリガしてビデオ映像を切り替える必要があると確認することができる。また、前記第１の指示メッセージは、前記第１の指示メッセージを拒絶するためのコントロールボタンを携帯してもよく、端末のユーザーは、前記拒絶コントロールボタンをトリガして切り替える必要がないビデオ映像を確認することができる。
【００７０】
一実施例では、前記確定モジュール４１は、
端末からの第２の指示メッセージを受信したかを検出する第２の検出サブモジュール４１３と、
第２の検出サブモジュール４１３が第２の指示メッセージを受信したことを検出すると、第２の指示メッセージによって、ビデオ映像を切り替える必要があるかを確定する第２の確定サブモジュール４１４と、をさらに備える。
【００７１】
一実施例では、切り替えモジュール４２は、
指定されたスマート機器の身分識別子を確定する第３の確定サブモジュール４２１と、
第３の確定サブモジュール４２１が確定した身分識別子によって、指定されたスマート機器が端末とローカルエリアネットワーク（ＬＡＮ）を介して通信接続されると確定する通信確立サブモジュール４２２と、
身分識別子によって、端末が採集した第１のビデオ映像を、通信確立サブモジュール４２２が確立した通信接続を介して、指定されたスマート機器が採集した第２のビデオ映像に切り替える切り替えサブモジュール４２３と、を備える。
【００７２】
一実施例では、送信モジュール４３は、
対応ノードと接続されるネットワーク類型を検出する第３の検出サブモジュールと、
第３の検出サブモジュール４３１が対応ノードと通信ネットワークを介して通信することを検出すると、通信ネットワークを介して第２のビデオ映像を対応ノードに送信する第１の送信サブモジュール４３２と、
検出サブモジュール４３１が対応ノードとインターネットを介して通信することを検出すると、インターネットを介して第２のビデオ映像を対応ノードに送信する第２の送信サブモジュール４３３と、を備える。
【００７３】
前記実施例の装置において、その中のそれぞれのモジュールが操作を実行する具体的な方法は、関連される前記方法の実施例で詳細に説明したので、ここで説明を省略する。
【００７４】
図６は、一例示的実施例に係るビデオ装置に適用するブロック図である。例えば、装置６００は、携帯電話、コンピュータ、デジタルブロードキャスト端末、メッセージ送受信機、ゲーム機、タブレットデバイス、医療機器、フィットネス機器、ＰＤＡ等のものであってもよい。
【００７５】
図６参照すると、装置６００は、処理ユニット６０２、メモリ６０４、電源ユニット６０６、マルチメディアユニット６０８、オーディオユニット６１０、入力/出力（Ｉ/Ｏ）インターフェース６１２、センサーユニット６１４、及び通信ユニット６１６からなる群から選ばれる少なくとも１つを備えてもよい。
【００７６】
処理ユニット６０２は、一般的には、装置６００の全体の操作、例えば、表示、電話呼び出し、データ通信、カメラ操作及び記録操作に関連する操作を制御する。処理ユニット６０２は、上述した方法におけるステップの一部又は全部を実現できるように、命令を実行する少なくとも１つのプロセッサー６２０を備えてもよい。また、処理ユニット６０２は、他のユニットとのインタラクションを便利にさせるように、少なくとも１つのモジュールを備えてもよい。例えば、処理ユニット６０２は、マルチメディアユニット６０８とのインタラクションを便利にさせるように、マルチメディアモジュールを備えてもよい。
【００７７】
メモリ６０４は、装置６００での操作をサポートするように、各種のデータを記憶するように配置される。これらのデータは、例えば、装置６００で何れのアプリケーション又は方法を操作するための命令、連絡先データ、電話帳データ、メッセージ、画像、ビデオ等を含む。メモリ６０４は、何れの類型の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【００７８】
電源ユニット６０６は、装置６００の各種ユニットに電力を供給するためのものであり、電源管理システム、１つ又は複数の電源、及び装置６００のために電力を生成、管理及び分配することに関連する他のユニットを備えてもよい。
【００７９】
マルチメディアユニット６０８は、装置６００とユーザーとの間に出力インターフェースを提供するスクリーンを備えてもよい。スクリーンは、例えば、液晶表示（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット６０８は、フロントカメラ及び/又はバックカメラを有してもよい。装置６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００８０】
オーディオユニット６１０は、オーディオ信号を出力及び/又は入力するように配置される。例えば、オーディオユニット６１０は、マイクロフォン（ＭｉＣ）を有してもよい。装置６００が、例えば、呼び出しモード、記録モード、又は音声認識モードのような操作モードにあるとき、マイクロフォンは、外部のオーディオ信号を受信するように配置される。受信したオーディオ信号は、メモリ６０４にさらに記憶されてもよいし、通信ユニット６１６を介して送信されてもよい。一実施例では、オーディオユニット６１０は、オーディオ信号を出力するためのスピーカをさらに備えてもよい。
【００８１】
Ｉ/Ｏインターフェース６１２は、処理ユニット６０２と外部のインターフェースモジュールとの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００８２】
センサーユニット６１４は、装置６００のために各方面の状態を評価する少なくとも１つのセンサーを備えてもよい。例えば、センサーユニット６１４は、装置６００のオン/オフ状態や、ユニットの相対的な位置を検出することができる。例えば、前記ユニットは、装置６００の表示及びキーパッドである。センサーユニット６１４は、装置６００又は装置６００の１つのユニットの位置の変化、ユーザーによる装置６００への接触の有無、装置６００の方向又は加速/減速、装置６００の温度変化などを検出することができる。センサーユニット６１４は、何れの物理的な接触もない場合に付近の物体を検出するように配置される近接センサーを有してもよい。センサーユニット６１４は、イメージングアプリケーションに用いるための光センサー、例えば、ＣＭＯＳ又はＣＣＤ画像センサーを有してもよい。一実施例では、当該センサーユニット６１４は、加速度センサー、ジャイロスコープセンサー、磁気センサー、圧力センサー又は温度センサーをさらに備えてもよい。
【００８３】
通信ユニット６１６は、装置６００と他の設備の間との無線又は有線通信を便利にさせるように配置される。装置６００は、通信標準に基づく無線ネットワーク、例えば、ＷｉＦｉ、２Ｇ又は３Ｇ、又はそれらの組み合わせにアクセスできる。１つの例示的な実施例では、通信ユニット６１６は、ブロードキャストチャンネルを介して外部のブロードキャスト管理システムからのブロードキャスト信号又はブロードキャストに関する情報を受信する。１つの例示的な実施例では、前記通信ユニット６１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００８４】
例示的な実施例では、装置６００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００８５】
例示的な実施例では、命令を有する非一時的コンピュータ読み取り可能な記録媒体、例えば、命令を有するメモリ６０４をさらに提供する。前記命令は、装置６００のプロセッサー６２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【００８６】
当業者は、明細書に対する理解、及び明細書に記載された発明に対する実施を通じて、本発明の他の実施形態を容易に得ることができる。本発明は、本発明に対する任意の変形、用途、又は適応的な変化を含み、このような変形、用途、又は適応的な変化は、本発明の一般的な原理に従い、本発明では開示していない本技術分野の公知の知識、又は通常の技術手段を含む。明細書と実施例は、ただ例示的なものであって、本発明の本当の範囲と主旨は、以下の特許請求の範囲によって示される。
【００８７】
本発明は、前記で記述し、図面で図示した特定の構成に限定されず、その範囲を離脱しない状況で、様様な修正と変更を実現できる。本発明の範囲は、添付される特許請求の範囲のみにより限定される。
【００８８】
本願発明は、出願番号が２０１５１０２９００３９．６であって、出願日が２０１５年５月２９日である中国特許出願を基礎として優先権を主張し、当該中国特許出願の内容の全体は本願発明に援用される。
【国際調査報告】
2017524316.tif 000010
2017524316.tif 000011
2017524316.tif 000012
2017524316.tif 000013